(57)【要約】【課題】遊技媒体の揚送と清浄とが別々に行われるとともに、遊技島台の下部に配設される遊技媒体貯留部に遊技媒体を極力多く貯留することが出来る遊技島台を提供すること。【解決手段】遊技島台１は、遊技島台１の下部に配設される第１の遊技媒体貯留部９Ｒ、９Ｌ内の遊技媒体が、第２の揚送装置２１０Ｒ、２１０Ｌにより、第１の揚送装置２５とは別体に構成された清浄装置５０の遊技媒体流入口の高さ位置まで揚送されてから排出され、さらに清浄装置５０により清浄された後、第１の揚送装置２５により遊技島台１の上部に揚送されるように構成されている。【選択図】　　図１
2004081629.tif 000002
【特許請求の範囲】
【請求項１】
複数の遊技機が設置されるとともに、前記遊技機の遊技のために補給される遊技媒体を循環させる循環経路が内部に配設された遊技島台であって、
前記遊技島台の下部に配設され、前記遊技媒体を貯留する第１の遊技媒体貯留部と、
前記遊技島台の下部から上部に遊技媒体を揚送する第１の揚送装置と、
前記第１の揚送装置とは別体に構成され、前記第１の揚送装置にて揚送する遊技媒体を清浄する清浄装置と、
前記第１の遊技媒体貯留部に貯留された遊技媒体を、少なくとも前記清浄装置の遊技媒体流入口の高さ位置まで揚送するとともに、該揚送した遊技媒体が前記清浄装置の遊技媒体流入口に流入するように排出する第１の排出口を有する第２の揚送装置と、
を備えることを特徴とする遊技島台。
【請求項２】
前記第２の揚送装置の第１の排出口と前記清浄装置の遊技媒体流入口との間に配設され、前記第２の揚送装置の第１の排出口から排出された遊技媒体を貯留するとともに、該貯留した遊技媒体を前記清浄装置へ排出する第２の排出口を有する第２の遊技媒体貯留部を備える請求項１に記載の遊技島台。
【請求項３】
前記遊技島台の上部に配設され、前記第１の揚送装置にて揚送された遊技媒体を貯留する第３の遊技媒体貯留部と、
該第３の遊技媒体貯留部に貯留された遊技媒体貯留量を検出する第１の遊技媒体検出手段と、
前記第２の揚送装置の駆動制御を行う揚送装置制御手段と、を備え、
該揚送装置制御手段は、前記第１の遊技媒体検出手段による遊技媒体貯留量の検出結果に基づいて前記第２の揚送装置の駆動制御を行う請求項１または２に記載の遊技島台。
【請求項４】
前記第２の遊技媒体貯留部に貯留された遊技媒体貯留量を検出する第２の遊技媒体検出手段を備え、
前記揚送装置制御手段は、前記第２の遊技媒体検出手段による遊技媒体貯留量の検出結果に基づいて前記第２の揚送装置の駆動制御を行う請求項３に記載の遊技島台。
【請求項５】
前記清浄装置は、前記遊技媒体流入口から流入する遊技媒体を清浄する遊技媒体清浄部材が上面に設けられた揺動板と、前記遊技媒体清浄部材とその上面に載置される遊技媒体とが摺接して遊技媒体の表面が清浄されるように、前記揺動板を略水平方向に揺動させる揺動手段と、清浄された遊技媒体が前記揺動板の外部に流出する流出部と、を備える請求項１〜４のいずれかに記載の遊技島台。
【請求項６】
前記第１の遊技媒体貯留部の上方には、内部に貯留させる遊技媒体を誘導する誘導樋が、前記第１の遊技媒体貯留部の長手方向に延びるように配設されており、該誘導樋は、底面が前記第１の遊技媒体貯留部の流出口に向けて下方に傾斜する傾斜面状に形成されるとともに、前記第１の遊技媒体貯留部内に遊技媒体を落下させるための落下口が、左右側面の長手方向にわたって複数設けられている請求項１〜５のいずれかに記載の遊技島台。
【発明の詳細な説明】
【０００１】
【発明の属する技術分野】
本発明は、例えば遊技機としてのパチンコ機等が複数設置されるとともに、遊技に使用する遊技媒体としてのパチンコ球を循環させる循環経路が内部に配設された遊技島台に関する。
【０００２】
【従来の技術】
従来、この種のパチンコ機等が設置されるパチンコ島台は、一般的にパチンコ球を清浄する清浄装置が備えられており、内部で循環される途中で表面に付着した埃やゴミ等が清浄されるようになっている。このような清浄装置としては、例えば実開平４−１２６５８９号公報に示されるように、パチンコ球をパチンコ島台の上部に揚送する揚送装置の内部に組み込まれているもの等がある。
【０００３】
しかし、上記公報に記載の清浄装置は、パチンコ島台の下部のパチンコ球を上部まで揚送する揚送樋の内面に研磨布（清浄部材）を設け、パチンコ球を研磨布に摺接させて研磨（清浄）しながら揚送する、いわゆる揚送研磨装置であることから、パチンコ球を揚送する揚送モータにかかる負荷が大きいため、大型のモータが必要になるといった問題を有していた。
【０００４】
そこで、揚送モータにかかる負荷を軽減するために、清浄装置を揚送装置とは別体に構成し、揚送装置にて揚送するパチンコ球が揚送する直前で清浄されるように清浄装置を配設したパチンコ島台としては、例えば特開２００１−１２９２２７号公報に記載されている遊技島台等がある。
【０００５】
【発明が解決しようとする課題】
しかしながら、上記特開２００１−１２９２２７号公報に記載の清浄装置にあっては、揚送装置とは別体に構成されているものの、パチンコ球を揚送しながら清浄する仕組みは前記揚送研磨装置と同様であるため、パチンコ球を清浄するために揚送するモータに負荷がかかるばかりか、揚送モータを清浄装置にも別途設ける必要があるため、コストが嵩むといった問題を有していた。
【０００６】
また、このような遊技島台の下部タンクは、底面が揚送装置側に向けて下方に傾斜する傾斜面状に形成されており、貯留されたパチンコ球は自然流下により下部タンクから流出して揚送されるようになっているが、清浄装置を揚送装置とは別体に構成した場合、清浄装置に設けられるパチンコ球の流入口の高さ位置に応じて下部タンクの底面が決定されてしまうことになるので、下部タンクが小さくなってパチンコ球の貯留容量を大きくすることが出来なくなることがあった。
【０００７】
本発明は、このような問題点に着目してなされたもので、遊技媒体の揚送と清浄とが別々に行われるとともに、遊技島台の下部に配設される遊技媒体貯留部に遊技媒体を極力多く貯留することが出来る遊技島台を提供することを目的とする。
【０００８】
【課題を解決するための手段】
上記課題を解決するために、本発明の遊技島台は、複数の遊技機が設置されるとともに、前記遊技機の遊技のために補給される遊技媒体を循環させる循環経路が内部に配設された遊技島台であって、
前記遊技島台の下部に配設され、前記遊技媒体を貯留する第１の遊技媒体貯留部と、
前記遊技島台の下部から上部に遊技媒体を揚送する第１の揚送装置と、
前記第１の揚送装置とは別体に構成され、前記第１の揚送装置にて揚送する遊技媒体を清浄する清浄装置と、
前記第１の遊技媒体貯留部に貯留された遊技媒体を、少なくとも前記清浄装置の遊技媒体流入口の高さ位置まで揚送するとともに、該揚送した遊技媒体が前記清浄装置の遊技媒体流入口に流入するように排出する第１の排出口を有する第２の揚送装置と、
を備えることを特徴としている。
この特徴によれば、第１の遊技媒体貯留部に貯留された遊技媒体は、第２の揚送装置により清浄装置の遊技媒体流入口まで揚送された後に清浄装置により清浄され、さらに清浄後において第１の揚送装置により遊技島台の上部まで揚送されることになる。よって、遊技媒体の揚送と清浄とが別々に行われるため、揚送装置にかかる負荷が軽減されるばかりか、清浄装置の遊技媒体流入口の高さ位置に影響されることなく、第１の遊技媒体貯留部に遊技媒体を極力多く貯留することが出来る。
【０００９】
本発明の遊技島台は、前記第２の揚送装置の第１の排出口と前記清浄装置の遊技媒体流入口との間に配設され、前記第２の揚送装置の第１の排出口から排出された遊技媒体を貯留するとともに、該貯留した遊技媒体を前記清浄装置へ排出する第２の排出口を有する第２の遊技媒体貯留部を備えることが好ましい。
このようにすれば、第２の揚送装置による遊技媒体の揚送状態に影響されることなく、清浄装置に安定的に遊技媒体が供給される。
【００１０】
本発明の遊技島台は、前記遊技島台の上部に配設され、前記第１の揚送装置にて揚送された遊技媒体を貯留する第３の遊技媒体貯留部と、
該第３の遊技媒体貯留部に貯留された遊技媒体貯留量を検出する第１の遊技媒体検出手段と、
前記第２の揚送装置の駆動制御を行う揚送装置制御手段と、を備え、
該揚送装置制御手段は、前記第１の遊技媒体検出手段による遊技媒体貯留量の検出結果に基づいて前記第２の揚送装置の駆動制御を行うことが好ましい。
このようにすれば、第２の揚送装置を、第３の遊技媒体貯留部内の遊技媒体の貯留状況に応じて、効率よく駆動させることが出来る。
【００１１】
本発明の遊技島台は、前記第２の遊技媒体貯留部に貯留された遊技媒体貯留量を検出する第２の遊技媒体検出手段を備え、
前記揚送装置制御手段は、前記第２の遊技媒体検出手段による遊技媒体貯留量の検出結果に基づいて前記第２の揚送装置の駆動制御を行うことが好ましい。
このようにすれば、第２の揚送装置を、第２の遊技媒体貯留部内の遊技媒体の貯留状況に応じて駆動させることが出来るため、駆動効率がより向上する。
【００１２】
本発明の遊技島台の前記清浄装置は、前記遊技媒体流入口から流入する遊技媒体を清浄する遊技媒体清浄部材が上面に設けられた揺動板と、前記遊技媒体清浄部材とその上面に載置される遊技媒体とが摺接して遊技媒体の表面が清浄されるように、前記揺動板を略水平方向に揺動させる揺動手段と、清浄された遊技媒体が前記揺動板の外部に流出する流出部と、を備えることが好ましい。
このようにすれば、遊技媒体を揚送する揚送装置を別途清浄装置に設けたりすることなく遊技媒体を清浄することが出来るとともに、清浄された遊技媒体は流出部から流出されることで、遊技媒体を強制的に揺動板から排出させる排出機構等が不要となるため、清浄装置の構造の簡素化や製造コストの低減を図ることが出来る。
【００１３】
本発明の遊技島台は、前記第１の遊技媒体貯留部の上方には、内部に貯留させる遊技媒体を誘導する誘導樋が、前記第１の遊技媒体貯留部の長手方向に延びるように配設されており、該誘導樋は、底面が前記第１の遊技媒体貯留部の流出口に向けて下方に傾斜する傾斜面状に形成されるとともに、前記第１の遊技媒体貯留部内に遊技媒体を落下させるための落下口が、左右側面の長手方向にわたって複数設けられていることが好ましい。
このようにすれば、第１の遊技媒体貯留部内に遊技媒体を偏りなく均等に貯留させることが出来、これにより遊技媒体の貯留容量が増大するため、遊技機へ供給する遊技媒体が不足するといった事態の発生を効果的に回避出来る。
【００１４】
【発明の実施の形態】
以下、図面に基づいて本発明の実施形態を説明すると、まず図１には、本発明の実施例としての遊技島台１の内部構造を示す断面図が示されており、該遊技島台１は、その前後面に遊技機であるパチンコ機２と、該パチンコ機２において遊技に使用するパチンコ球の貸出を実施させる球貸処理機等と、が並設される通常の遊技島台である。
【００１５】
遊技島台１の略中央上部には、遊技媒体であるパチンコ球が貯留される第３の遊技媒体貯留部としての上部タンク３が設けられており、この上部タンク３内に貯留されたパチンコ球は、遊技島台１内の長手方向両端部に向かってそれぞれ下方に傾斜するように配設された供給樋４に流入するようになっている。
【００１６】
これら供給樋４には、流下するパチンコ球を各パチンコ機２に供給するための支流樋５が、供給樋４における図中前後側の側板に、流下方向に向かって所定間隔おきに複数配設されており、これら支流樋５に供給されたパチンコ球は、各パチンコ機２の背面に設けられた球タンク６に供給されるようになっている。
【００１７】
供給樋４の下流側端部には、例えばメンテナンス時等において供給樋４内のパチンコ球を後述する下部樋１０内に流出させる球抜き管７が設けられている。なお、通常時においてはこの球抜き管７内をパチンコ球が流下しないようになっている。
【００１８】
遊技島台１内の下部には、パチンコ機２より排出されたアウト球を一時貯留するアウト球タンク８が、パチンコ機２を載置する繕板１３の上面に、各パチンコ機２に対応するように複数設けられている。
【００１９】
また、上部タンク３内部に貯留されるパチンコ球が所定量以上となってオーバーフローしたパチンコ球を、遊技島台１の下部に設けられている第１の遊技媒体貯留部としての下部タンク９Ｒ、９Ｌに導くオーバーフロー樋１２及びオーバーフロー管１８が配設されている。
【００２０】
繕板１３の下方には、パチンコ球を貯留する下部タンク９Ｒ、９Ｌがそれぞれ設けられている。下部タンク９Ｒ、９Ｌ内には、図１〜図３に示されるように、球抜き管７及びオーバーフロー管１８から排出されるパチンコ球が流入する下部樋１０Ｒ、１０Ｌが、それぞれ遊技島台１における長手方向中央に向かって下方に傾斜するように配設されている。下部樋１０Ｒ、１０Ｌ内を流下するパチンコ球は、流下方向に向かって左右側の側板に複数形成された開口１１（図２参照）、及びその底板における下流側端部所定箇所に形成された開口１４Ｒ、１４Ｌ（図３参照）を介して、下部タンク９Ｒ、９Ｌ内にパチンコ球がほぼ均等に貯留されるように落下される。
【００２１】
このように、下部タンク９Ｒ、９Ｌの内部に貯留するパチンコ球を誘導する下部樋１０Ｒ、１０Ｌは、遊技島台１における長手方向中央に配設された揚送装置２５に向かって下方に傾斜するように配設されているとともに、下部タンク９Ｒ、９Ｌの内部にパチンコ球を落下させる開口１１が下部樋１０Ｒ、１０Ｌの左右側面の長手方向に向かって複数設けられていることで、下部タンク９Ｒ、９Ｌの内部にパチンコ球を偏りなく均等に貯留することができ、これにより下部タンク９Ｒ、９Ｌのパチンコ球の貯留能力が増大するため、遊技機に供給するパチンコ球が不足するなどの事態の発生を効果的に回避することが出来る。
【００２２】
図１中向かって左側の遊技島台１の島端には、遊技者が獲得したパチンコ球を計数するための計数装置１５が配設されており、この計数装置１５内に投入されたパチンコ球は、計数装置１５に設けられている球投入口１５ａから連設された排出路１６を介して下部樋１０Ｌに流入し、下部タンク９Ｌ内に排出されて貯留される。
【００２３】
下部タンク９Ｒ、９Ｌ内における下部樋１０Ｒ、１０Ｌの流下方向に向かって左右側には、図２、図３に示されるように、各アウト球タンク８から排出されるパチンコ球を回収する側部樋１７Ｒ、１７Ｌが並設されている。
【００２４】
各下部タンク９Ｒ、９Ｌと揚送装置２５との間には、図１〜図４に示されるように、上面が開口する有底箱状をなすとともに、底面が遊技島台１の中央方向に向かって下方に傾斜する、貯留タンク２００Ｒ、２００Ｌが設けられている。
【００２５】
側部樋１７Ｒ、１７Ｌの下流側端部は、前記貯留タンク２００Ｒ、２００Ｌ内まで延設されていて、側部樋１７Ｒ、１７Ｌ内に回収されたパチンコ球は、下部タンク９Ｒ、９Ｌ内に貯留されることなく、直接貯留タンク２００Ｒ、２００Ｌ内に自然流下するようになっている。なお、側部樋１７Ｒ、１７Ｌからパチンコ球が溢れたときには下部樋１０Ｒ、１０Ｌを介して下部タンク９Ｒ、９Ｌ内に貯留される。
【００２６】
ここで、図１中の遊技島台１における揚送装置２５の左側下部の内部構成及び配置された各部位の構造を説明すると、貯留タンク２００Ｌの下流側側板には、後述する遊技媒体清浄装置としての清浄装置５０へパチンコ球を誘導する中継樋２４Ｌが接続されている。
【００２７】
下部タンク９Ｌの揚送装置２５側には、下部タンク９Ｌに貯留されているパチンコ球を貯留タンク２００Ｌに揚送する第２の揚送装置としてのミニリフト２１０Ｌが、前後の側部樋１７Ｌ、１７Ｌに挟まれるようにして設けられているとともに、ミニリフト２１０Ｌのさらに揚送装置２５側には、ミニリフト２１０Ｌから揚送されたパチンコ球を一時的に貯留する第２の遊技媒体貯留部としての揚送タンク２００ａＬが設けられている。
【００２８】
ミニリフト２１０Ｌが駆動されることにより、下部タンク９Ｌにおけるミニリフト２１０側の側板下部に形成された流出口３００Ｌから流出される下部タンク９Ｌ内のパチンコ球を揚送して、装置の上部に設けられる排出口２３８（図６参照）から揚送タンク２００ａＬに排出し、その後に貯留タンク２００Ｌ内に流下するとともに、非駆動状態においては下部タンク９Ｌ内のパチンコ球を揚送して貯留タンク２００Ｌに排出することはないので、ミニリフト２１０Ｌは下部タンク９Ｌからのパチンコ球の排出量を調節する役割を果たしている。
【００２９】
揚送タンク２００ａＬは、上流側の側板がミニリフト２１０Ｌと密着するようにして設けられているとともに、前後の側板には、揚送タンク２００ａＬ内のパチンコ球を貯留タンク２００Ｌ内に流出させるための通孔２０１が設けられている。これにより、下部タンク９Ｌからミニリフト２１０Ｌにより揚送されたパチンコ球は揚送タンク２００ａＬへ排出され、通孔２０１を通過して貯留タンク２００Ｌ内に流出した後（図４参照）、貯留タンク２００Ｌの底壁に設けられたガイド板２１１により下流側の側板に形成された連通口２３Ｌに向けて案内され、連通口２３Ｌから流出して中継樋２４Ｌを経由して清浄装置５０へ流出されるようになっている。
【００３０】
後述する清浄装置５０の清浄能力を超える量のパチンコ球が清浄装置５０に向けて流出され、清浄装置５０内にパチンコ球が流入しきれなくなった場合、中継樋２４Ｌ、貯留タンク２００Ｌ内に滞留することになる。その状態でミニリフト２１０Ｌが駆動してパチンコ球が揚送タンク２００ａＬ内に排出されると、通孔２０１から揚送タンク２００ａＬ内へパチンコ球が流出することはないので、揚送タンク２００ａＬ内にパチンコ球が貯留されていく。
【００３１】
揚送タンク２００ａＬ内には、第２の遊技媒体検出手段としての揚送タンク満タン検出センサ２０２Ｌ、及び揚送タンク空検出センサ２０３Ｌが設けられており、揚送タンク２００ａＬ内にパチンコ球が揚送タンク満タン検出センサ２０２Ｌの位置まで貯留されるとミニリフト２１０Ｌの揚送が停止されるようになっている。また、パチンコ球の量が揚送タンク空検出センサ２０３Ｌに接触しない位置まで低減した場合には、ミニリフト２１０Ｌが駆動して下部タンク９Ｌからのパチンコ球の揚送を開始するようになっている。
【００３２】
以上、遊技島台１内部における揚送装置２５の図中左側に配設された貯留タンク２００Ｌ、ミニリフト２１０Ｌ、揚送タンク２００ａＬの構造及び構成について説明してきたが、遊技島台１内部における揚送装置２５の図中右側に配設された貯留タンク２００Ｒ、ミニリフト２１０Ｒ、揚送タンク２００ａＲの構造は、前記貯留タンク２００Ｌ、ミニリフト２１０Ｌ、揚送タンク２００ａＬと同様のため、詳細な説明は省略するものとする。
【００３３】
但し、貯留タンク２００Ｒと揚送装置２５との間には、後述する清浄装置５０が配設されている点が、遊技島台１内部における揚送装置２５の図中左側の配置構成とは異なっているが、下部タンク９Ｒ、９Ｌからミニリフト２１０Ｒ、２１０Ｌにより揚送された後、揚送タンク２００ａＲ、２００ａＬ、貯留タンク２００Ｒ、２００Ｌ及び案内樋２４Ｌ、２４Ｒを通って清浄装置５０に流入するという点で、パチンコ球の流下経路は同一の構成であると言える。
【００３４】
図３中２点鎖線で示される符号２７は、例えば清浄装置５０が何らかの理由で故障した場合等において、下部タンク９Ｒ、９Ｌ内のパチンコ球を清浄装置５０内に流入させることなく揚送装置２５内に連通させるためのバイパス樋である。
【００３５】
貯留タンク２００Ｒ、２００Ｌの側板及び中継樋２４Ｌの側板の一部には連通口２９ａ、２９ｂがそれぞれ形成されており、このバイパス樋２７を清浄装置５０の上方に配置した際に、連通口２９ａ、２９ｂを介して貯留タンク２００Ｒ、２００Ｌ及び中継樋２４Ｌ内のパチンコ球がバイパス樋２７に自然流入するようになっている。
【００３６】
本実施例においては、通常時においてこれら連通口２９ａ、２９ｂは前記ガイド板２１１により閉塞されていることになるため、上記したように清浄装置５０が故障した場合等に応じてバイパス樋２７を配設した状態で、前記ガイド板２１１を開放することにより、貯留タンク２００Ｒ、２００Ｌ内のパチンコ球を清浄装置５０を通過させることなく揚送装置２５に流入させることが出来るようになっている。
【００３７】
また、このようにバイパス樋２７を配設可能としておくことで、清浄装置５０が正常に駆動している状態において前記パチンコ球を前記清浄装置５０を通過させることなく揚送装置２５に流入させて循環させる必要が生じた場合においても対応することが可能となる。
【００３８】
なお、本実施例においては、バイパス樋２７は必要に応じて設けられるようになっていたが、言うまでもなく常設しておいてもよい。さらに、連通口２９ａ、２９ｂを閉塞するガイド板２１１は手動により開閉するものであるが、上記ガイド板２１１を清浄装置５０の駆動状況に応じて自動的に開閉するように設けてもよい。
【００３９】
次に図５には、本実施例に適用された揚送装置２５が示されている。揚送装置２５の外形を構成する上下方向に延びる縦長の箱体３０内には、特に図５（ａ）、（ｂ）に示されるように駆動歯車３１が上部に回動自在に設けられているとともに、従動回転体３２が下部に回動自在に設けられており、これら駆動歯車３１と従動回転体３２とには、特に図５（ｃ）に示されるように所定量のパチンコ球を収容可能なバケット３３が、リベット３６を介して外面に複数取り付けられた無端状のタイミングベルト３４が掛け渡されている。駆動歯車３１、従動回転体３２には、バケット３３をタイミングベルト３４に止めるリベット３６との接触を回避するための環状の溝部Ｍがそれぞれ２箇所ずつ形成されている。
【００４０】
図５（ｃ）に示されるように、タイミングベルト３４の内面は駆動歯車３１の刃部に噛合するように凹凸状に形成されており、箱体３０の上部外方に固設される駆動モータ３５が駆動して駆動歯車３１が回転することにより、その回転力がタイミングベルト３４に伝達されてタイミングベルト３４が図５（ａ）に示されるように回転し、箱体３０の下部に形成されるパチンコ球の流入口３７から流入するパチンコ球が回転してきた空のバケット３３内に所定量ずつ収容されて揚送され、箱体３０の上部に形成される排出口３８から（上部タンク３内）に排出される。
【００４１】
従動回転体３２は、箱体３０内下部に昇降自在に設けられた移動体３９の下端に回転自在に設けられており、外方から操作可能に設けられたレバー４０を介して移動体３９を上昇させることによりタイミングベルト３４を取り外し出来るようになっている。
【００４２】
詳しくは、移動体３９は、その所定箇所に固定されたネジ４２が箱体３０所定箇所に形成された上下方向を向く長孔４１内に摺動自在に挿通されていることにより上下方向に移動自在に案内されているとともに、一端が箱体３０内所定箇所に係止された引張りバネ４３の他端が係止されて常時上方に付勢されている。移動体３９の上方には、レバー４０が回転軸４４を中心に回動自在に設けられており、図５（ｂ）に示されるようにレバー４０を上下方向を向く位置に保持した際に、レバー４０の下端に形成されたローラ４５により移動体３９の上端が下方に押圧されて下降して下限位置に保持され、レバー４０を手前側に回動させた際には、ローラ４５による押圧状態が解除されて移動体３９が引張りバネ４３の作用により上昇する。
【００４３】
このように、レバー４０の操作により従動回転体３２を昇降させて箱体３０の側板の一部を取り外すことにより、タイミングベルト３４を容易に取り外すことが出来るように構成されているため、バケット３３の破損やタイミングベルト３４の交換等、種々のメンテナンスを容易に行うことが出来る。また、揚送装置２５の流入口３７には、後述する研磨装置５０の排出樋２６の下流側端部が接続される。
【００４４】
このように構成される揚送装置２５によって、後述する清浄装置５０により清浄されたパチンコ球を遊技島台１の上部の上部タンク３まで揚送する場合、清浄されたパチンコ球はバケット３３内に収容された状態で揚送されるので、例えばスクリューコンベア式やスプロケット式等の他の揚送装置のように、揚送されるパチンコ球が揚送中に他の部材等に接触することがない。よって、清浄されたパチンコ球を汚すことなく、また、接触により帯電させることなく揚送出来る。
【００４５】
なお、本実施例においては、上記のような理由からこのようなバケット式の揚送装置を遊技島台１に適用しているが、言うまでもなく他の揚送装置を適用してもよい。
【００４６】
また、図６に示すように、前記下部タンク９Ｒ、９Ｌの下端側に設けられているミニリフト２１０Ｒ、２１０Ｌは、長さや幅等の規模は異なるものの、上記揚送装置２５とほぼ同様に構成されているため、内部の詳細な部位には揚送装置２５の部位を示す符号に２００を加算した符号を付すことにより、ここでの詳細な説明は省略するものとする。
【００４７】
このように、前記ミニリフト２１０Ｒ、２１０Ｌの排出口２３８から排出されたパチンコ球を貯留する第２の遊技媒体貯留部としての揚送タンク２００ａＲ、２００ａＬが、第２の揚送装置としてのミニリフト２１０Ｒ、２１０Ｌの第１の排出口２３８と前記清浄装置５０の案内樋２８Ｒ、２８Ｌとの間に配設されるとともに、清浄装置５０へパチンコ球を流出させる第２の排出口としての通孔２０１を有することで、ミニリフト２１０Ｒ、２１０Ｌによるパチンコ球の揚送状態に影響されることなく、清浄装置５０に安定的にパチンコ球が供給されるようになる。
【００４８】
案内樋２８Ｒ、２８Ｌ内に流入したパチンコ球は、後述する遊技媒体清浄装置としての清浄装置５０内に流入して清浄された後に排出樋２６から流出し、遊技島台１内の略中央部に設けられた揚送装置２５を介して揚送され、再び上部タンク３内に貯留される。このようにして遊技島台１内のパチンコ球は循環するようになっている。
【００４９】
このように、遊技島台１内に配設される供給樋４、支流樋５、下部樋１０Ｒ、１０Ｌ、オーバーフロー樋１２、オーバーフロー管１８、側部樋１７Ｒ、１７Ｌ、貯留タンク２００Ｒ、２００Ｌ、中継樋２４Ｒ、２４Ｌ、案内樋２８Ｒ、２８Ｌ、排出樋２６等により、パチンコ球が少なくともパチンコ機２と後述する清浄装置５０とを介して遊技島台１内を循環するように構成されている。
【００５０】
また、遊技島台１内には、揚送装置２５及びミニリフト２１０Ｒ、２１０Ｌを制御する揚送装置制御手段としての制御装置３００が設けられている。この制御装置３００には、図１２のブロック図に示されるように、揚送装置２５、ミニリフト２１０Ｌ、２１０Ｒが接続されているとともに、前記上部タンク３、下部タンク９Ｒ、９Ｌ、揚送タンク２００ａＲ、２００ａＬ内に設けられた各種のセンサが接続されており、各種センサからの検出状況に基づいてパチンコ球の貯留状況を把握し、これに基づいて揚送装置２５やミニリフト２１０Ｌ、２１０Ｒの駆動制御を行うようになっている。
【００５１】
詳しくは、上部タンク内には、上部タンク３の満タンを検出する上部タンク満タン検出センサ２０４と、上部タンク３の空状態を検出する上部タンク空検出センサ２０５とが設けられている。左側の下部タンク９Ｌには、下部タンク９Ｌの満タンを検出する左下部タンク満タン検出センサ２０６と、下部タンク９Ｌの空状態を検出する左下部タンク空検出センサ２０７とが設けられている。右側の下部タンク９Ｒには、下部タンク９Ｒの満タンを検出する右下部タンク満タン検出センサ２０８と、下部タンク９Ｌの空状態を検出する右下部タンク空検出センサ２０９とが設けられている。左側の貯留タンク２００Ｌ内に設けられている揚送タンク２００ａＬ内には、左揚送タンク２００ａＬの満タンを検出する左揚送タンク満タン検出センサ２０２Ｌと、左揚送タンク２００ａＬの空状態を検出する左揚送タンク空検出センサ２０３Ｌとが設けられている。右側の貯留タンク２００Ｒ内に設けられている揚送タンク２００ａＲ内には、右揚送タンク２００ａＲの満タンを検出する右揚送タンク満タン検出センサ２０２Ｒと、右揚送タンク２００ａＲの空状態を検出する右揚送タンク空検出センサ２０３Ｒとが設けられている。
【００５２】
前記制御装置３００には、図１２に示すように遊技島台１内に設けられている各揚送装置、各タンク内に設けられている前記各種センサが接続されていて、各タンク内におけるパチンコ球の貯留状況に応じて前述したミニリフト２１０Ｒ、２１０Ｌや揚送装置２５やミニリフト２１０Ｒ、２１０Ｌの駆動を制御してパチンコ球を揚送し、循環させるようになっているとともに、通信ユニットを介してホールコンピュータなどの管理装置等に接続されるようになっていて、例えば、揚送装置２５やミニリフト２１０Ｒ、２１０Ｌ等が停止した場合に停止した旨を前記管理装置等に送信するようになっている。
【００５３】
また、側部樋１７Ｒ、１７Ｌに回収されるパチンコ球が下部タンク９Ｒ、９Ｌ内に貯留されているパチンコ球よりも優先して清浄装置５０内に流入して清浄された後に揚送装置２５により揚送されるようになっている。すなわち、パチンコ機２にて遊技に使用されて排出されたパチンコ球が優先的に清浄されるのである。そして、上部タンク３内におけるパチンコ球の貯留量が少なくなった場合等においてミニリフト２１０Ｒ、２１０Ｌ等を駆動してパチンコ球が貯留されている下部タンク９Ｒ、９Ｌからパチンコ球を上部タンク３内に揚送する。
【００５４】
なお、本実施例における遊技島台１は、上部タンク３や下部タンク９Ｒ、９Ｌ内部に貯留されたパチンコ球のみを制御により循環して使用するいわゆる独立式の遊技島台であるが、例えば遊技場内に並設される他の遊技島台と上部タンク同士を適宜連結樋等により連結して、他の遊技島台間でパチンコ球の貯留量の調整を行えるようにしてもよい。また、遊技者が獲得したパチンコ球を計数する計数装置が各パチンコ機２に対応して設けられ、各遊技島台内においてパチンコ球を循環使用することが可能に構成されたユニット式の遊技島台であってもよい。
【００５５】
次に、図７〜図１１に基づいて、本発明実施例としての遊技媒体を清浄する清浄装置としての清浄装置５０の構成及び作用を説明する。
【００５６】
まず図７〜図１１に示されるように、清浄装置５０の本体を構成する基体５１と、この基体５１の上方に揺動自在に設けられる揺動板５２上に流入するパチンコ球を清浄する清浄部材としてのシート部材Ｓを収納するための収納ユニット５３と、から主に構成されている。
【００５７】
基体５１は、上面と一側面が開口する箱状に構成されており、互いに対向する側板５４、５４の長手方向両端側上部間には、２本のガイドレール５５、５５が架設されており、このガイドレール５５、５５上には、後述する枠体５６が載置されているとともに、この枠体５６の上方には前述した案内樋２８Ｒ、２８Ｌが設けられている。また、図７中後側のの側板（図示略）の上端部には、前述した排出樋２６が設けられている。
【００５８】
基体５１の内部には、前記収納ユニット５３が、基体５１の側部から前方に引き出し自在に収容されている。また、底板５８の上面略中央位置には、揺動板５２を揺動させる揺動手段を構成する揺動モータ５９が、その回転軸６０（駆動軸）が鉛直上方を向くように固定部材６１を介して取り付けられている。なお、固定部材６１と底板５８との間には、図８に示されるように防振ゴム６２が設けられており、揺動モータ５９の振動の基体５１への伝達が抑制されるようになっている。
【００５９】
図８に示されるように、回転軸６０の上端には、内部に上下方向を向く貫通路６３が形成された円柱形の偏心軸部材６４が、この貫通路６３内に回転軸６０を嵌挿した状態で、偏心軸部材６４の外周面所定箇所に形成されたネジ孔（図示略）より固定ネジ（図示略）を螺入することにより、回転軸６０に対して相対回転不能に取り付けられている。この貫通路６３は、偏心軸部材６４の中央軸心に対して偏心した位置に形成されているため、偏心軸部材６４の軸心は回転軸６０の軸心に対して偏心することになり、回転軸６０の回転により偏心軸部材６４が偏心回転するようになっている。
【００６０】
回転軸６０における偏心軸部材６４の下方には、ディスク部材６５ａが溶接により一体的に固着されているとともに、このディスク部材６５ａの上面における偏心軸部材６４の偏心方向の反対側所定箇所には、ウェイト部材６５ｂが取り付けられ、これらディスク部材６５ａとウェイト部材６５ｂとによりバランスウェイト６５が構成されており、このバランスウェイト６５により偏心軸部材６４の偏心回転時におけるバランスが保持されるようになっている。
【００６１】
このウェイト部材６５ｂは、特に図示しないがディスク部材６５ａに対してネジ（図示略）により着脱自在に取り付けられているとともに、ディスク部材６５ａにはこのネジのネジ孔（図示略）が複数形成されているため、揺動板５２の揺動時における偏心バランスにずれが生じた場合にウェイト部材６５ｂの取付位置を適宜替えることにより、偏心バランスを調整出来るようになっている。よって、組み付ける揺動板５２の成形精度等が製品ごとに異なっていても、揺動板５２の組み付け後においても偏心バランスを容易に調整出来る。
【００６２】
また、偏心軸部材６４の周面には、自動調心機能を備えるベアリング６６（軸受）が環装されているとともに、このベアリング６６の外周には、揺動板５２の裏面略中央位置にネジ固定される取付リング６７が嵌合されている。このベアリング６６は、特に図１０に示されるように、外輪６６ａと、偏心軸部材６４の上端に環装される内輪６６ｂと、転動体としての複数の球６６ｃと、この球を２列状に整列させた状態で内輪に保持する保持器６６ｄと、から構成される、いわゆる球軸受である。外輪６６ａにおける軌道面は、ベアリング６６の中心点を中心とした球面状に形成されていることにより、球６６ｃ、保持器６６ｄ、内輪６６ｂが外輪６６ａの軸心に対してある程度傾いた状態でも円滑に回動させる傾動許容機構が構成されているため、このベアリング６６は自動調心性を有している。
【００６３】
平面視矩形状に形成された揺動板５２の裏面四隅には、図８に示されるように、下端が底板５８の上面四隅に固着された回転規制部材６８の上端が固着されており、この回転規制部材６８により、調心機能を備えるベアリング６６を介して偏心軸部材６４に回転自在に枢着されている揺動板５２が水平状態に保持されるとともに、偏心軸部材６４の回転に追従して揺動板５２が水平方向に回転しようとする運動を牽制するようになっている。
【００６４】
回転規制部材６８は、揺動板５２及び底板５８に取り付けるための上下の取付板６９、６９’と、取付板６９、６９’にそれぞれ固着される硬質ウレタン等の合成樹脂材からなる変形部材７０、７０’と、上下の変形部材７０、７０’間を連結する棒状の金属材からなる連結棒７１と、からそれぞれ構成されており、揺動板５２の揺動時において上下の変形部材７０、７０’及び連結棒７１が変形することにより揺動板５２の所定範囲内の揺動を許容するとともに、弾性復帰力によって、偏心軸部材６４の回転に追従して揺動板５２が水平方向に回転しようとする運動を牽制する。さらに、この回転規制部材６８を介して揺動板５２と底板５８とが連結されていることになるため、偏心回転時における揺動板５２端部側の上下方向のあばれが抑制され、揺動時におけるパチンコ球の飛び跳ね等が効果的に抑制される。
【００６５】
このように揺動板５２は、回転軸６０の先端に固着された偏心軸部材６４に対して、自動調心性を有するベアリング６６を介して相対回動自在に枢着されているため、ベアリング６６による調心作用により、揺動板５２に固着された取付リング６７に固着される外輪６６ａに対する偏心軸部材６４に嵌合される内輪６６ｂの傾動、すなわち、外輪６６ａの軸心に対して内輪６６ｂが傾いた状態でも円滑に回動する。
【００６６】
よって、偏心軸部材６４に対する揺動板５２の取付け精度や、揺動板５２上にパチンコ球が偏って滞留する等、何らかの要因により、揺動板５２のいずれかの端部側が傾くなどして水平バランスが崩れることにより、外輪６６ａが内輪６６ｂの軸心に対して傾いた状態となって軸心に狂いが生じた場合や、逆に、揺動板５２が水平に敷設された状態において、偏心軸部材６４の加工誤差等により偏心軸部材６４の軸心が回転軸６０の軸心に対して傾いてしまったり、あるいは回転軸６０が外輪６６ａの軸心に対して傾いた状態で揺動モータ５９が固設されること等によって軸心に狂いが生じた場合等にあっても、回転軸６０やベアリング６６に無理な負荷がかかることがないので、揺動時において回転軸６０やベアリング６６から異音が発生すること等がない。また、回転軸６０やベアリング６６に無理な負荷が加わった状態での揺動が長期的に実行されること等により、回転軸６０やベアリング６６が破損して揺動板５２が揺動しなくなるといった事態が回避されるので、揺動板５２の揺動が安定的に行われる。
【００６７】
また、このように本実施例における揺動板５２は、該揺動板５２の下方に配置した揺動モータ５９の回転軸６０に固着された偏心軸部材６４に対して回動自在に枢着され、回転軸６０の回転により水平方向に偏心回動するように設けられているため、複雑な機構等を用いることなく、揺動板５２を簡単な構造で水平方向に揺動させることが出来る。
【００６８】
揺動板５２の上面全域には、ゴムシート７２が貼着されており、パチンコ球の清浄時における振動や、パチンコ球との衝突による騒音等が吸収されるようになっているとともに、揺動板５２の揺動時における上面に敷設されるシート部材Ｓとの滑りが防止されている。そしてこのゴムシート７２の上面には、案内樋２８Ｒ、２８Ｌから流入するパチンコ球の表面に付着された汚れを除去する清浄部材としての布製のシート部材Ｓが敷設される。
【００６９】
このシート部材Ｓは、図９に示されるように、収納ユニット５３内にロール状に収納された新規なシート部材Ｓが、収納ユニット５３内に設けられる巻取り手段としての巻取りモータ１０４により適宜揺動板５２上に引き出されて敷設され、使用後は適宜巻取られるようになっている。このシート部材Ｓの材質は、ここでは柔軟性を有するコットン１００％の不織布が使用されている。ここでは、摩耗性に優れるとともに、帯電しにくく、かつ、低発塵性を有する不織布が使用されているため、シートが破損しにくいばかりか、パチンコ球との摺接による静電気の発生が防止されるとともに、パチンコ球との摺接や後述する巻取り時における発塵が少ないため、周囲の各装置内への粉塵の進入が防止される。また、本実施例におけるシート部材Ｓの裏面は、揺動板５２の揺動時における揺動板５２への追従作用を損なわない程度の滑動性を有するナイロン樹脂によりコーティングされており、巻取時におけるシート部材Ｓの破損や後述する巻取モータの巻取時にかかる負荷が軽減されるようになっている。
【００７０】
なお、清浄部材としてのシート部材Ｓは、パチンコ球の表面に付着された汚れを除去し得るものであれば材質は上記のような布製の不織布に限定されるものではなく、例えば織布や、紙等の他の素材からなるシート部材を使用することも可能である。
【００７１】
このように、揺動板５２上にシート部材Ｓが敷設されることで、後述するように揺動板５２が水平方向に高速で偏心回転することにより、シート部材Ｓ上のパチンコ球が自転してその表面がシート部材Ｓに擦りつけられて清浄されることになる。なお、清浄作用の詳細に関しては後述することとする。
【００７２】
ガイドレール５５、５５の上部に載置される枠体５６は、基体５１に対して上方に開放可能に枢着されており、揺動板５２上に流入したパチンコ球が清浄される清浄領域Ｚ（図１１参照）を構成するガイド部材７３が設けられているとともに、上部には、前記案内樋２４Ｌ、２４Ｒに連通し、流下するパチンコ球を前記清浄領域Ｚの略中央部に案内する案内樋２８Ｌ、２８Ｒが設けられている。
【００７３】
また、揺動板５２上に流入されたパチンコ球の揺動時における飛びはねを規制するとともに、自重によりパチンコ球を揺動板５２の上面に敷設されるシート部材Ｓに向けて付勢する付勢部材としての蓋部材７９が、枠体５６に形成された内向きに屈曲する略Ｌ字状の保持片７８により保持されている。
【００７４】
本実施例における付勢手段としての蓋部材７９は、特に図８に示されるように、透明で軟質性を有する塩化ビニル樹脂からなる軟性部材としての薄肉の透明シート１５１と、この透明シート１５１をシート状に保持するための保持部材としてのアルミ製の保持板１５２と、から構成されている。保持板１５２の略中央部には、遊技媒体案内路としての案内樋２８Ｒ、２８Ｌの排出部としての落下口１２７（図１０参照）から落下するパチンコ球を、揺動板５２上面と透明シート１５１の下面との間に流入させるための流入口８０を構成するための図示しない開口部が形成されているとともに、該開口部の周囲には、揺動板５２上面とこの蓋部材７９下面との間に流入したパチンコ球の清浄状況を、保持板１５２の上方から視認するための透視窓部を構成する開口部１５４（図７参照）が複数形成されている。また、透明シート１５１の下面における開口部１５７の近傍には、揺動板５２における回転軸６０の近傍位置にパチンコ球が停留するのを防止するための円柱形の停留防止部材１５８が取り付けられている。
【００７５】
透明シート１５１の下面には、揺動板５２上におけるパチンコ球に当接して揺動板５２上からのパチンコ球の落下を防止するとともに、パチンコ球の清浄領域Ｚを揺動板５２上に形成するガイド部材７３が固定手段としてのネジ（図示略）を介して蓋部材７９に一体的に取り付けられている。
【００７６】
ガイド部材７３は、耐疲労性が高く、かつ、自己潤滑性に富み、低摩擦係数、低摩耗性を有するポリアセタール樹脂からなり、その内周縁、すなわち、パチンコ球との接触面は、図１１に示されるように、平面視で略円弧状をなす第１ガイド辺としての円弧状ガイド辺７３ａと、円弧状ガイド辺７３ａの所定箇所から、パチンコ球の流出部１２８方向に向けて直線状に延びるように形成される第２ガイド辺としての直線状ガイド辺７３ｂと、からなるパチンコ球のガイド辺として形成されている。
【００７７】
また、円弧状ガイド辺７３ａの端部と直線状ガイド辺７３ｂとの間はパチンコ球の流出部１２８を形成すべく所定距離離間されており、この円弧状ガイド辺７３ａの端部には、ガイド辺の一部を構成するとともに、流出部１２８からのパチンコ球の流出量を調節するための流出幅調節部材であるポリアセタール樹脂からなるスライド部材１６０が流出部１２８に対して出退（動作）自在に設けられている。なお、スライド部材１６０のスライド移動は止めネジ１６２により所望の位置で移動不能に固定出来るようになっている。
【００７８】
このように蓋部材７９を取り付けた枠体５６は、図８に示されるように、断面略Ｌ字状のガイドレール５５、５５の上面にそれぞれ載置するように基体５１の上部に設けられる。この状態で蓋部材７９は、その両端辺部が保持片７８の上面に載置され、その透明シート１５１の下面が揺動板５２の上面のゴムシート７２の上面からパチンコ球の直径よりも若干小寸の距離分だけ離間した高さ位置に保持されることになる。そして、透明シート１５１の下面とゴムシート７２の上面との間にパチンコ球が流入されると、流入したパチンコ球により蓋部材７９が若干上昇することになる。
【００７９】
蓋部材７９は、揺動板５２よりも若干大きめの板状に形成されているとともに、主に透明シート１５１と、該透明シート１５１をシート状に保持するアルミ製の保持板１５２とからなり、主にこの保持板１５２が所定重量を有しているため、この自重により揺動板５２上のパチンコ球が揺動板５２の上面に敷設されるシート部材Ｓに向けて付勢されることになり、これにより揺動板５２の偏心回転時においてパチンコ球が上方に飛び跳ねてシート部材Ｓから離れるのが防止されるため、パチンコ球とシート部材Ｓとの摺接作用が高まることになる。
【００８０】
また、蓋部材７９の上昇範囲は突出片８２により規制されるとともに、パチンコ球との当接面が軟質性を有する透明シート１５１の下面であるため、揺動板５２が揺動しても蓋部材７９が上下方向に大きくがたつくことがないので、パチンコ球はシート部材Ｓに向けて効果的に付勢される。
【００８１】
さらに、揺動板５２上に流入したパチンコ球は、揺動板５２が水平方向に揺動しても、その周囲に設けられるガイド部材７３及びスライド部材１６０にガイドされ、流出部１２８以外の箇所からの揺動板５２からの逸脱が防止されるため、これらガイド部材７３及びスライド部材１６０によって清浄領域Ｚが形成される。
【００８２】
また、ガイド部材７３及びスライド部材１６０は、揺動板５２の揺動に追従しない蓋部材７９に設けられているため、揺動板５２の揺動や、後述するようなシート部材Ｓの引出しにより、敷設されたシート部材Ｓが捩れたりめくれるなどして揺動板５２上面が露出することがないため、ガイド部材７３の近傍に位置するパチンコ球が清浄されなくなることがなく、揺動板５２上の全てのパチンコ球を偏りなく清浄出来るばかりか、揺動板上に敷設されたシート部材Ｓにより揺動板５２の揺動が規制されることがない。
【００８３】
さらに、ガイド部材７３及びスライド部材１６０は枠体５６の開放とともに揺動板５２上から除去されるため、後述するようなシート部材Ｓの交換作業時等のメンテナンス作業をする際において揺動板５２上のパチンコ球を外部に払い出す際において、流出部１２８から流出させなくても一度に払い出すことが出来る。
【００８４】
また、蓋部材７９におけるパチンコ球との当接面は、軟質の塩化ビニル樹脂からなる透明シート１５１にて構成されているため、揺動板５２の偏心回転にともなう振動によりパチンコ球と衝突することがあっても、衝突による衝撃が透明シート１５１により吸収されるため、清浄領域Ｚ内にある複数のパチンコ球との衝突音の発生が効果的に抑制され、清浄装置５０の駆動時における騒音の発生が防止される。
【００８５】
なお、本実施例におけるパチンコ球の付勢手段としての蓋部材７９にあっては、パチンコ球との接触面が軟質性を有する塩化ビニル樹脂製の透明シート１５１にて構成されていたが、本発明はこれに限定されるものではなく、蓋部材７９におけるパチンコ球との当接面は、パチンコ球を付勢出来るとともに、パチンコ球との衝突による衝撃を吸収しうる素材にて構成されていれば、上記塩化ビニル樹脂に限定されるものではなく、例えばゴム等の軟質性を有する他の素材にて構成されていてもよい。
【００８６】
このように、揺動板５２上を覆うように付勢部材としての蓋部材７９が設けられても、流入口８０が形成されていることにより、蓋部材７９の上方に設けられる案内樋２８Ｒ、２８Ｌの排出口１２７から落下するパチンコ球を清浄領域Ｚ内に流入させることが出来る。また、蓋部材７９は、揺動板５２上面の少なくとも一部を開放出来るように設けられているとともに、この蓋部材７９と案内樋２８Ｒ、２８Ｌとは、枠体５６を介して互いに一体的に設けられており、さらにこの枠体５６は、基体５１に対して取り外し自在に設けられているため、後述するシート部材Ｓの交換や装置のメンテナンス等の作業性が効果的に向上するばかりか、排出口１２７と流入口８０との配置関係を変えることなく、基体５１に対して取付けたり取り外したりすることが出来るため、作業性が向上する。
【００８７】
また、収納されたシート部材Ｓを収納する収納ユニット５３は、基体５１の側方に引出し自在設けられていることにより、使用済みのシート部材Ｓの取り出し、及び新規なシート部材Ｓの補給作業を容易に行えるばかりか、図１のように遊技島台１内に設置した際、装置全体を移動することなく、収納ユニット５３のみを遊技島台１の外方に引出して交換作業等を行えるため、作業性が向上する。
【００８８】
シート部材Ｓは、図９に示されるように、揺動板５２の上面に敷設され、清浄装置５０の揺動板５２を水平回動させる揺動手段としての揺動モータ５９の総駆動時間に応じて引出し手段としての巻取モータ１０４が適宜駆動し、新規なシート部材Ｓが揺動板５２上に引き出されるようになっているため、汚れた状態で清浄が続けられることはない。また、補給されたシート部材Ｓの残量が所定量以下になった場合には、適宜交換信号が外部に出力されて交換の報知が行われるようになっているため、この報知に応じて新規なシート部材Ｓを補給できるようになっている。
【００８９】
また、本実施例の清浄装置５０においては、図１及び図１０中向かって左右側の少なくともいずれか一方の中継樋２４Ｌ、２４Ｒ、案内樋２８Ｒ、２８Ｌを流下してきたパチンコ球が、図１１に示されるように流入口８０を介して揺動板５２の上部に次々に流入し、少なくともいずれか一方の案内樋２８Ｒ、２８Ｌ、中継樋２４Ｌ、２４Ｒ内にパチンコ球が滞留した状態が検出センサ１２０または１２１により検出されると、揺動モータ５９が駆動してパチンコ球の清浄が実施されるように制御されているため、揺動板５２上にパチンコ球が流入していないにも関わらず揺動モータ５９が無駄に駆動することがない。
【００９０】
また、揺動板５２上から排出されたパチンコ球を揚送装置２５に導く排出樋２６内にパチンコ球が滞留した状態が検出センサ１２２により検出されると、揺動モータ５９が駆動している場合は駆動を停止してパチンコ球の清浄の実施が停止されるように制御されているため、例えば上部タンク３内にパチンコ球が所定量以上貯留されている等の要因によりパチンコ球を揚送する必要がない場合や、あるいは何らかの故障等何らかの要因で揚送装置２５が駆動していない状態でパチンコ球の清浄を実施して球詰まりが発生した場合等において、揺動モータ５９の駆動が継続されることがないので、効率よくパチンコ球の清浄が実施される。
【００９１】
次に、清浄装置５０によるパチンコ球の清浄作用を図面に基づいて説明する。
【００９２】
案内樋２８Ｒ、２８Ｌ内を流下してきたパチンコ球は、特に図９及び図１０に示されるように、案内樋２８Ｒ、２８Ｌの対向端部間に形成される排出部としての落下口１２７から落下し、流入口８０を通過して揺動板５２と蓋部材７９との間に流入することになる。
【００９３】
ここで揺動モータ５９が駆動して揺動板５２が揺動すると、特に図８に示されるように、揺動板５２は、前述のように揺動モータ５９の回転軸６０に対して偏心する偏心軸部材６４の上端に固着されたベアリング６６の外輪６６ａに対して相対回転不能に固定された取付リング６７に取り付けられているため、揺動モータ５９を駆動させて回転軸６０が高速回転されると偏心軸部材６４が偏心回転し、それに伴い揺動板５２が水平方向に偏心回転して揺動されることになる。この揺動板５２の偏心回動に伴い、シート部材Ｓの上面に流入した各パチンコ球が自転してその表面がシート部材Ｓに対して擦り付けられることになり、パチンコ球の表面に付着した汚れやゴミ等がシート部材Ｓに拭い取られて清浄されることになる。
【００９４】
特に本実施例における揺動板５２は、揺動モータ５９の駆動により偏心回動することにより水平方向に揺動するようになっていることにより、揺動板５２が揺動することにより清浄領域Ｚ内のパチンコ球が多方向に回転し、より複雑な動きをすることになるので、パチンコ球の表面全域がまんべんなくシート部材Ｓに摺接して効果的に清浄される。
【００９５】
そして平面視略細長矩形状に形成された揺動板５２の下面四隅は、回転規制部材６８を介して基体５１の底板５８に連結されているため、偏心回転に伴い偏心軸部材６４周りに回転することがないばかりか、揺動板５２の端部に生じる上下方向のあばれが抑制され、揺動板５２が円滑に、かつ安定して水平揺動されるようになっている。
【００９６】
さらに、揺動板５２上に位置するパチンコ球は、付勢部材としての蓋部材７９によりシート部材Ｓに付勢されることにより、揺動板５２の揺動時における飛び跳ね等が防止されるばかりか、シート部材Ｓに確実に擦り付けられることになるので、清浄作用が効果的に高まる。
【００９７】
また、蓋部材７９により付勢されるパチンコ球によりシート部材Ｓがゴムシート７２に圧接されるため、揺動板５２の水平揺動がシート部材Ｓに効果的に伝達されて清浄作用が高まるばかりか、揺動により生じる接触音等が抑制される。
【００９８】
そして図１１に示されるように、流入口８０を通過して揺動板５２と蓋部材７９との間に、清浄領域Ｚの中央部から若干外方にずれた所定箇所から流入したパチンコ球は、揺動板５２の偏心回動により自転しながら清浄されつつ、ガイド部材７３及びスライド部材１６０にて揺動板５２上に形成された清浄領域Ｚ内を、揺動モータ５９の回転軸６０の回転方向と逆方向に向けて渦巻くように外方に移動しながら清浄領域Ｚ内を周回（約２〜３周）した後、揺動作用または流入されるパチンコ球の押圧作用によって、ガイド部材７３の端部とスライド部材１６０の先端部との間に形成された流出部１２８から排出樋２６に自然に流出することになる。
【００９９】
このように、本実施例における清浄装置５０にあっては、揺動板５２上に形成された平面視略円形状の清浄領域Ｚの中央部から若干外方にずれた所定箇所にパチンコ球を流入させる遊技媒体案内路としての案内樋２８Ｒ、２８Ｌが設けられているとともに、清浄されたパチンコ球を揺動板５２上から流出させる流出部１２８が揺動板５２の外周部所定箇所、すなわち、清浄領域Ｚの外周部所定箇所に形成されていることにより、少なくとも清浄領域Ｚの外周部近傍位置からパチンコ球を流入させた場合に比べて、揺動板５２の偏心回動によりパチンコ球が該偏心回動方向と逆回りに渦巻くように外方に移動して揺動板５２上をより多く周回することになり、清浄領域Ｚ内に流入したパチンコ球が清浄領域Ｚ内に長く滞留することなく短時間で流出部１２８から流出してしまうことがないので、パチンコ球の清浄効果が著しく向上する。
【０１００】
また、例えば従来公知の揚送研磨装置のように、パチンコ球を揚送させる間にパチンコ球を研磨させる場合に比べて清浄距離が短くなって清浄効果が著しく低減することがなく、パチンコ球を清浄する清浄領域Ｚを広面積に設けなくても、限られた領域内において効率よく清浄することが出来る。
【０１０１】
また、蓋部材７９におけるパチンコ球との当接面は、軟質の塩化ビニル樹脂からなる透明シート１５１にて構成されているため、揺動板５２の偏心回転にともなう振動によりパチンコ球と衝突することがあっても、衝突による衝撃が透明シート１５１により吸収されるため、清浄領域Ｚ内にある複数のパチンコ球との衝突音の発生が効果的に抑制され、清浄装置５０の駆動時における騒音の発生が防止される。よって、清浄装置５０を遊技島台１内に設置して使用する場合においても、蓋部材７９とパチンコ球との衝撃音の発生が防止されるため、遊技中の遊技者が衝撃音を不快に感じて遊技意欲を消失するといった問題が効果的に回避される。
【０１０２】
なお、本実施例における遊技媒体案内路は２つの案内樋２８Ｒ、２８Ｌにより構成されていたが、パチンコ球の清浄領域Ｚ内への流入効率をより高めるために２つ以上の複数の案内樋にて構成されてもよいし、また、１つの案内樋にて構成されていてもよい。
【０１０３】
また、揺動板５２上に流入したパチンコ球が所定面積の清浄領域Ｚ内で渦巻くように外方に移動しながら周回することにより清浄されるため、限られたスペース内においてパチンコ球を効率よく清浄することが出来る。
【０１０４】
また、ガイド部材７３は、パチンコ球を揺動板５２上を周回させる方向に案内する円弧状ガイド辺７３ａと、円弧状ガイド辺７３ａの所定箇所から流出部１２８に向けて直線状に延びる直線状ガイド辺７３ｂと、を有し、平面視略円形状の清浄領域Ｚを形成するため、円弧状ガイド辺７３ａにより清浄領域Ｚ内全体のパチンコ球が渦巻く方向にスムーズに移動して清浄領域Ｚ内に適宜滞留し続けるように案内されるとともに、中央部に流入された後に次第に円弧状ガイド辺７３ａ近傍に移動してきたパチンコ球は、直線状ガイド辺７３ｂに案内されて流出部１２８から流出することになるため、清浄領域Ｚ内所定箇所に滞留し続けたり、揺動板５２上を必要以上に周回し続けることを効果的に回避できる。
【０１０５】
また、清浄領域Ｚ内に流入したパチンコ球は、揺動板５２の偏心回転による遠心作用、及び流入するパチンコ球による押圧作用により流出部１２８から適宜流出するようになっているため、パチンコ球を流出部１２８に向けて強制的に排出させる排出機構等を設ける必要がない。
【０１０６】
また、本実施例の清浄装置５０は、図１１に示されるように、揺動板５２からのパチンコ球の流出を規制するガイド部材７３の一部を構成するスライド部材１６０をガイド部材７３に対して伸縮させることで、スライド部材１６０の先端部とガイド部材７３との間の幅寸法（Ｌ１）、すなわち、パチンコ球の流出部１２８の流出幅を拡張したり縮小したりすることが出来るようになっているため、パチンコ球の流出部１２８からの流出量を調節することが出来る。
【０１０７】
具体的には、清浄装置５０は、清浄領域Ｚ内に流入したパチンコ球が揺動板５２の偏心回動作用によって流出部１２８から自然流出されるように構成されているため、流出量調節手段としてのスライド部材１６０の流出部１２８方向への進退幅を調節し、流出部１２８の流出幅を可変することで、パチンコ球の流出量を調節することが出来る。このように流出量を調節することで、清浄領域Ｚ内でのパチンコ球の滞留時間が変わることになるため、例えばパチンコ球を十分に清浄したい場合等においては流出部１２８の幅寸法を小寸とし、また、パチンコ球をスムーズに流出させたい場合等においては流出部１２８の幅寸法を大寸とすればよい。
【０１０８】
また、パチンコ球の流出部１２８からの流出量を調節出来ることで、遊技島台１にて循環するパチンコ球の汚れ度合いや、パチンコ球の循環状況等に適した清浄状況を作ることが出来る。すなわち、例えば遊技場の開店時等に合わせてより多くのパチンコ球を短時間で清浄することを優先する場合等においては流出幅を拡張し、逆にパチンコ球を長時間かけてよりきれいに清浄したい場合等においては流出幅を縮小すればよい。
【０１０９】
次いで、前記制御装置３００によるパチンコ球の揚送制御内容及びパチンコ球の循環状況を、図１３のフローチャート並びに図１４〜図１７に示される遊技島台１の概略図に基づいて説明する。
【０１１０】
まず、Ｓ１において、上部タンク３内に設けられている上部タンク満タン検出センサ２０４がＯＮを検出しているか、すなわち上部タンク３が満杯状態であるか否かを判定し、上部タンク満タン検出センサ２０４がＯＮを検出している、すなわち満タンである場合にはＳ３へ進んで揚送装置２５、ミニリフト２１０Ｒ、２１０Ｌに設けられている駆動モータ３５、２３５Ｒ、２３５Ｌの駆動を停止して、Ｓ４において上部タンク空検出センサ２０５がＯＦＦになるまで、すなわち上部タンク３内のパチンコ球が上部タンク空検出センサ２０５が設けられている位置よりも低位までパチンコ球が少なくなると、処理を終了する。
【０１１１】
次いで、Ｓ１において上部タンク満タン検出センサ２０４がＯＮを検出していない、すなわち上部タンク３内にパチンコ球が上部タンク満タン検出センサ２０４がＯＮを検出するまで貯留されていないと判定された場合には揚送装置２５内の駆動モータ３５（Ｓ２）を駆動し、Ｓ５において左下部タンク９Ｌ内に設けられている左下部タンク空検出センサ２０７がＯＦＦであるか、すなわち左下部タンク９Ｌ内に、左下部タンク空検出センサ２０７が設けられている位置よりもパチンコ球が貯留されているか否かを判定し、左下部タンク空検出センサ２０７がＯＦＦでない、すなわち左下部タンク９Ｌ内に左下部タンク空検出センサ２０７が設けられている位置よりもパチンコ球が貯留されている場合にはＳ７へ進んで、左下部タンク満タン検出センサ２０６がＯＮを検出しているか否かを判定する。
【０１１２】
Ｓ７において左下部タンク満タン検出センサ２０６がＯＮを検出している場合、すなわち、左下部タンク９Ｌ内にパチンコ球が左下部タンク満タン検出センサ２０６の位置よりも貯留されている場合には、前記計数装置１５による計数許可信号をＯＦＦとする（Ｓ９）とともに、左下部タンク満タン検出センサ２０６がＯＮを検出していない場合、すなわち、左下部タンク満タン検出センサ２０６の位置までパチンコ球が貯留されていない場合には、計数許可信号をＯＮにして計数装置１５からのパチンコ球の流入を可能とするようになっている（Ｓ８）。
【０１１３】
次いで、Ｓ１０において左揚送タンク２００ａＬに設けられている、左揚送タンク満タン検出センサ２０２ＬがＯＮを検出しているか、すなわち左揚送タンク２００ａＬ内に左揚送タンク満タン検出センサ２０２Ｌの位置よりもパチンコ球が貯留されているか、詳しくは、貯留タンク２００Ｌ内に貯留されたパチンコ球は、前記したように、前記清浄装置５０へ向かって自然に流下するようになっているが、清浄装置５０の清浄能力を超えてパチンコ球が清浄装置５０に向かって供給され続けると、パチンコ球は清浄装置５０の上部経路中に滞留するようになり、ミニリフト２１０Ｌから流出されるパチンコ球は揚送タンク２００ａＬ内に滞留して左揚送タンク満タン検出センサ２０２Ｌの位置までパチンコ球が堆積して来ているか否かを判定し、左揚送タンク満タン検出センサ２０２Ｌの位置までパチンコ球が堆積して来ていると判定された場合には、図１５（ａ）に示すように、Ｓ１１へ進んで駆動モータ２３５Ｌの駆動を停止し、左揚送タンク満タンフラグをＯＮとして（Ｓ１２）、Ｓ１３へ進む。
【０１１４】
Ｓ１０において、左揚送タンク満タン検出センサ２０２ＬがＯＮ検出をしていないと判定された場合にはＳ１３へ進み、左揚送タンク満タンフラグがＯＮであるか否かを判定し、左揚送タンク満タンフラグがＯＮでない、すなわち左揚送タンクが一度満タンになっていないと判定された場合には図１５（ｂ）に示すように、Ｓ１４においてミニリフト２１０Ｌ内に設けられている駆動モータ２３５Ｌを駆動して、処理を終了する。
【０１１５】
また、Ｓ１３において、左揚送タンク満タンフラグがＯＮであると判定された場合には、Ｓ１５において、左揚送タンク空検出センサ２０３ＬがＯＦＦであるか、すなわち、左揚送タンク２００ａＬが満タン状態から空状態になったか否かを判定し、左揚送タンク空検出センサ２０３ＬがＯＦＦではない、すなわち左揚送タンク２００ａＬ中に左揚送タンク空検出センサ２０３Ｌの位置よりもパチンコ球が堆積している場合には、そのまま処理を終了し、左揚送タンク空検出センサ２０３ＬがＯＦＦである、すなわち、左揚送タンク２００ａＬ中にパチンコ球が存在していない場合には、先ほど立てた左揚送満タンフラグをＯＦＦとして（Ｓ１６）処理を終了するようになっている。
【０１１６】
次いで、Ｓ５において、図１６に示すように左下部タンク空検出センサ２０７がＯＦＦである、すなわち左下部タンク９Ｌ内に左下部タンク空検出センサ２０７が設けられている位置よりもパチンコ球が貯留されていない場合には、Ｓ６において駆動モータ２３５Ｌの駆動を停止し、次いでＳ１７において図１７に示すように右下部タンク空検出センサ２０９がＯＦＦであるかを判定し、右下部タンク空検出センサ２０９がＯＦＦである、すなわち左下部タンク９Ｌが空であり、かつ右下部タンク９Ｒも空である場合には、揚送装置２５の駆動モータ３５を駆動するとともに、右ミニリフト２１０Ｒ内の駆動モータ２３５Ｒの駆動を停止し（Ｓ１８）、右下部タンク満タン検出センサ２０８のＯＮが検出待ちとなる（Ｓ１９）。
【０１１７】
すなわち、左右両方の下部タンク９Ｌ、９Ｒに揚送するためのパチンコ球が存在しない場合には、本実施例における揚送装置２５は遊技機２からのアウト球などを下部タンク９Ｌ、９Ｒから揚送するよりも優先して揚送するようになっていることから、これらのパチンコ球を揚送装置２５を用いて上部タンク３へ揚送し、上部タンク３においてパチンコ球のオーバーフローを起こさせ、オーバーフローしたパチンコ球は前記オーバーフロー樋１２やオーバーフロー管１８を通り左右の下部タンク９Ｌ、９Ｒにパチンコ球を供給するようになっている。
【０１１８】
次いで、Ｓ１７において右下部タンク空検出センサ２０９がＯＦＦでない、すなわち、右下部タンク９Ｒ内にパチンコ球が貯留されている場合には、Ｓ２０へ進み、Ｓ２０において右揚送タンク２００ａＲに設けられている、右揚送タンク満タン検出センサ２０２ＲがＯＮ検出をしたか、すなわち右揚送タンク２００ａＲ内に右揚送タンク満タン検出センサ２０２Ｌの位置よりもパチンコ球が充満しているか、詳しくは、貯留タンク２００Ｒ内に貯留されたパチンコ球は、前記したように、前記清浄装置５０へ向かって自然に流下するようになっているが、清浄装置５０の清浄能力を超えてパチンコ球が清浄装置５０に向かって供給され続けると、パチンコ球は清浄装置５０の上部経路中に滞留するようになり、ミニリフト２１０Ｒから流出されるパチンコ球は揚送タンク２００ａＲ内に滞留して右揚送タンク満タン検出センサ２０２Ｒの位置までパチンコ球が堆積して来ているか否かを判定し、右揚送タンク満タン検出センサ２０２Ｒの位置までパチンコ球が堆積して来ていると判定された場合には、Ｓ２１へ進んで駆動モータ２３５Ｒの駆動を停止し、右揚送タンク満タンフラグをＯＮとして（Ｓ２２）、Ｓ２３へ進む。
【０１１９】
Ｓ２０において、右揚送タンク満タン検出センサ２０２ＲがＯＮでないと判定された場合にはＳ２３へ進み、右揚送タンク満タンフラグがＯＮであるか否かを判定し、右揚送タンク満タンフラグがＯＮでない、すなわち右揚送タンクが一度満タンになっていないと判定された場合にはＳ２４においてミニリフト２１０Ｒに設けられている駆動モータ２３５Ｒを駆動し、処理を終了する。
【０１２０】
また、Ｓ２３において、右揚送タンク満タンフラグがＯＮであると判定された場合には、Ｓ２５において、右揚送タンク空検出センサ２０３ＲがＯＦＦであるか、すなわち、右揚送タンク２００ａＲが満タン状態から空状態になったか否かを判定し、右揚送タンク空検出センサ２０３ＲがＯＦＦではない、すなわち右揚送タンク２００ａＲ中に左揚送タンク空検出センサ２０３Ｌの位置よりもパチンコ球が堆積している場合には、そのまま処理を終了し、右揚送タンク空検出センサ２０３ＲがＯＦＦである、すなわち、右揚送タンク２００ａＲ中にパチンコ球が存在していない場合には、先ほど立てた右揚送満タンフラグをＯＦＦとして処理を終了するようになっている。
【０１２１】
このように、揚送装置制御手段としての制御装置３００は、第１の遊技媒体検出手段としての上部タンク満タン検出センサ２０４、上部タンク空検出センサ２０５の検出状況、すなわち、パチンコ球の貯留量に応じて、ミニリフト２１０Ｒ、２１０Ｌの駆動制御を行うため、ミニリフト２１０Ｒ、２１０Ｌを常に駆動することなく、上部タンク３の貯留状況に応じて効率よく駆動させることが出来る。
【０１２２】
また、ミニリフト２１０Ｒ、２１０Ｌの排出口２３８と清浄装置５０の流入口８０との間に、排出口２３８から排出されたパチンコ球を貯留することが出来る第２の遊技媒体貯留部としての揚送タンク２００ａＲ、２００ａＬが配設されているため、ミニリフト２１０Ｒ、２１０Ｌを清浄装置５０の清浄状況に応じて細かく駆動制御させなくても、ある程度揚送タンク２００ａＲ、２００ａＬ内にパチンコ球を貯めておけば、貯留されたパチンコ球が必要に応じて通孔２０１から流出して清浄装置５０に供給されることになるため、清浄装置５０へのパチンコ球の供給が途絶えるのを効果的に防止できる。
【０１２３】
さらに、この揚送タンク２００ａＲ、２００ａＬ内には、第２の遊技媒体検出手段としての揚送タンク満タン検出センサ２０２Ｒ、２０２Ｌ、揚送タンク空検出センサ２０３Ｒ、２０３Ｌが設けられており、制御装置３００は、これらセンサによる検出状況、すなわち、パチンコ球の貯留量に応じてミニリフト２１０Ｒ、２１０Ｌの駆動制御を行うため、上部タンク３へのパチンコ球の揚送要求がなされている状態であっても、ミニリフト２１０Ｒ、２１０Ｌをより効率よく駆動させることが出来るとともに、揚送タンク２００ａＲ、２００ａＬからパチンコ球が溢れることがない。
【０１２４】
以上説明したように、本実施例における遊技島台１には、揚送装置２５にて揚送するパチンコ球を清浄する清浄装置５０が、揚送装置２５とは別体に配設されるとともに、下部タンク９Ｒ、９Ｌと清浄装置５０との間に、下部タンク９Ｒ、９Ｌに貯留されたパチンコ球を、少なくとも清浄装置５０の流入口８０の高さ位置まで揚送するミニリフト２１０Ｒ、２１０Ｌが配設されているため、下部タンク９Ｌ、９Ｒに貯留されたパチンコ球は、ミニリフト２１０Ｒ、２１０Ｌにより清浄装置５０の流入口８０まで揚送された後に清浄装置５０により清浄され、さらに清浄後において揚送装置２５により遊技島台１の上部まで揚送されることになる。
【０１２５】
よって、パチンコ球の揚送と清浄とが別々に行われるため、従来の揚送・研磨装置のように、揚送装置２５の揚送モータ等にかかる負荷が軽減されるばかりか、清浄装置５０と下部タンク９との間にミニリフト２１０Ｒ、２１０Ｌが配設されているため、清浄装置５０の流入口８０の高さ位置に影響されることなく、下部タンク３を大きく（深く）構成してパチンコ球を極力多く貯留することが出来る。
【０１２６】
詳しくは、本実施例の清浄装置５０のように、流入口８０が清浄領域Ｚの上部に配置され、遊技島台１の床面付近に流入口８０が設けられない場合であっても、ミニリフト２１０Ｒ、２１０Ｌによりパチンコ球を流入口８０まで揚送して供給することが出来るため、下部タンク９を大きく構成してパチンコ球を極力多く貯留することが出来る。
【０１２７】
さらに詳しくは、清浄装置５０は、流入口８０から流入するパチンコ球を清浄するシート部材Ｓが上面に設けられた揺動板５２と、シート部材Ｓとその上面に載置されるパチンコ球とが摺接してパチンコ球の表面が清浄されるように、揺動板５２を略水平方向に揺動させる揺動モータ６０と、清浄されたパチンコ球が揺動板５２の外部に流出する流出部１２８と、を備える構成とされているため、流入口８０から流入したパチンコ球は、揺動板５２の揺動により清浄されるとともに、その揺動作用及び流入口８０から流入するパチンコ球の押圧作用により自然に流出部１２８から流出されることになり、流入したパチンコ球を強制的に排出することにより清浄する清浄装置とは異なるため、下部タンク９Ｌ、９Ｒ内のパチンコ球を清浄装置５０の流入口８０までミニリフト２１０Ｒ、２１０Ｌにより揚送させる必要がある。
【０１２８】
よって、このような排出機構を持たない清浄装置５０の流入口８０の高さ位置が、その形状や大きさ等により変わることがあっても、下部タンク９Ｒ、９Ｌ内のパチンコ球をミニリフト２１０Ｒ、２１０Ｌにより流入口８０の高さ位置まで揚送することが出来るため、下部タンク９Ｒ、９Ｌを大きく構成して遊技島台１内下部により多くのパチンコ球を貯留することが出来る。
【０１２９】
前記各実施例における各要素は、本発明に対して以下のように対応している。
【０１３０】
本発明の請求項１は、複数の遊技機（パチンコ機２）が設置されるとともに、前記遊技機の遊技のために補給される遊技媒体（パチンコ球）を循環させる循環経路（上部タンク３、供給樋４、支流樋５、球タンク６、球抜き管７、アウト球タンク８、側部樋１７Ｒ、１７Ｌ、下部樋１０、下部タンク９Ｒ、９Ｌ、ミニリフト２１０Ｒ、２１０Ｌ、揚送タンク２００ａＲ、２００ａＬ、貯留タンク２００Ｒ、２００Ｌ、中継樋２４Ｒ、２４Ｌ、案内樋２８Ｒ、２８Ｌ、清浄装置５０、排出樋２６、揚送装置２５、オーバーフロー樋１２、オーバーフロー管１８）が内部に配設された遊技島台（１）であって、
前記遊技島台の下部に配設され、前記遊技媒体を貯留する第１の遊技媒体貯留部（下部タンク９Ｒ、９Ｌ）と、
前記遊技島台の下部から上部に遊技媒体を揚送する第１の揚送装置（揚送装置２５）と、
前記第１の揚送装置とは別体に構成され、前記第１の揚送装置にて揚送する遊技媒体を清浄する清浄装置（５０）と、
前記第１の遊技媒体貯留部に貯留された遊技媒体を、少なくとも前記清浄装置の遊技媒体流入口（８０）の高さ位置まで揚送するとともに、該揚送した遊技媒体が前記清浄装置の遊技媒体流入口に流入するように排出する第１の排出口（排出口２３８）を有する第２の揚送装置（ミニリフト２１０Ｒ、２１０Ｌ）と、
を備える。
【０１３１】
本発明の請求項２は、前記第２の揚送装置（ミニリフト２１０Ｒ、２１０Ｌ）の第１の排出口（排出口２３８）と前記清浄装置（５０）の遊技媒体流入口（８０）との間に配設され、前記第２の揚送装置の第１の排出口から排出された遊技媒体を貯留するとともに、該貯留した遊技媒体を前記清浄装置へ排出する第２の排出口（通孔２０１）を有する第２の遊技媒体貯留部（揚送タンク２００ａＲ、２００ａＬ）を備える。
【０１３２】
本発明の請求項３は、前記遊技島台（１）の上部に配設され、前記第１の揚送装置（揚送装置２５）にて揚送された遊技媒体（パチンコ球）を貯留する第３の遊技媒体貯留部（上部タンク３）と、該第３の遊技媒体貯留部に貯留された遊技媒体貯留量を検出する第１の遊技媒体検出手段（上部タンク満タン検出センサ２０４、上部タンク空検出センサ２０５）と、前記第２の揚送装置（ミニリフト２１０Ｒ、２１０Ｌ）の駆動制御を行う揚送装置制御手段（制御装置３００）と、を備え、該揚送装置制御手段は、前記第１の遊技媒体検出手段による遊技媒体貯留量の検出結果に基づいて前記第２の揚送装置の駆動制御を行う。
【０１３３】
本発明の請求項４は、前記第２の遊技媒体貯留部（揚送タンク２００ａＲ、２００ａＬ）に貯留された遊技媒体貯留量を検出する第２の遊技媒体検出手段（揚送タンク満タン検出センサ２０２Ｒ、２０２Ｌ、揚送タンク空検出センサ２０３Ｒ、２０３Ｌ）を備え、前記揚送装置制御手段（制御装置３００）は、前記第２の遊技媒体検出手段による遊技媒体貯留量の検出結果に基づいて前記第２の揚送装置（ミニリフト２１０Ｒ、２１０Ｌ）の駆動制御を行う。
【０１３４】
本発明の請求項５は、前記清浄装置５０は、前記遊技媒体流入口（８０）から流入する遊技媒体（パチンコ球）を清浄する遊技媒体清浄部材（シート部材Ｓ）が上面に設けられた揺動板（５２）と、前記遊技媒体清浄部材とその上面に載置される遊技媒体とが摺接して遊技媒体の表面が清浄されるように、前記揺動板を略水平方向に揺動させる揺動手段（揺動モータ５９／偏心軸部材６４）と、清浄された遊技媒体が前記揺動板５２の外部に流出する流出部（１２８）と、を備える。
【０１３５】
本発明の請求項６は、前記第１の遊技媒体貯留部（下部タンク９Ｒ、９Ｌ）の上方には、内部に貯留させる遊技媒体（パチンコ球）を誘導する誘導樋（下部樋１０Ｒ、１０Ｌ）が、前記第１の遊技媒体貯留部の長手方向に延びるように配設されており、該誘導樋は、底面が前記第１の遊技媒体貯留部の流出口（流出口３００Ｒ、３００Ｌ）に向けて下方に傾斜する傾斜面状に形成されるとともに、前記第１の遊技媒体貯留部（下部タンク９Ｒ、９Ｌ）内に遊技媒体を落下させるための落下口（開口１１）が、左右側面の長手方向にわたって複数設けられている。
【０１３６】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１３７】
例えば、上記実施例における清浄装置５０は、揺動モータ５９により揺動板５２を揺動させて、揺動板５２上のシート部材Ｓと、その上面に載置されるパチンコ球と、を摺接させることによりパチンコ球の表面を清浄する清浄装置であるが、清浄装置はこのように揺動板等の揺動作用によりパチンコ球を清浄部材に摺接させて清浄するものに限定されるものではなく、例えば揺動板等を用いることなく、洗浄液等を使用することによってパチンコ球の表面を清浄するような清浄装置等であってもよい。
【０１３８】
また、上記実施例における清浄装置５０は、遊技島台１内における揚送装置２５に流入するパチンコ球を清浄する箇所に配設されていたが、遊技島台１内における配置位置は記載した箇所に限定されるものではなく、例えば下部タンク９Ｒ、９Ｌ内に貯留されたパチンコ球がミニリフト２１０Ｒ、２１０Ｌにより揚送されて排出され、清浄装置５０内に流入して清浄された後に揚送装置２５で揚送されるようになっていれば、清浄装置５０は、必ずしも図１及び図３に示されるように揚送装置２５の近傍に配置されていなくてもよい。
【０１３９】
また、上記実施例では第３の遊技媒体貯留部としての上部タンク３が設けられているが、本発明はこれに限定されるものではなく、パチンコ球を貯留する下部タンク９Ｒ、９Ｌの容量を増やしたり、貯留されているパチンコ球を上方へ揚送する揚送装置２５、ミニリフト２１０Ｒ、２１０Ｌの揚送能力を向上するなど、パチンコ球を遊技島台１内で十分に循環させることが可能となっていれば、上部タンク３を設けない構成としてもよい。
【０１４０】
また、上記実施例では、揚送装置２５、ミニリフト２１０Ｒ、２１０Ｌは、バケット３３、２３３内にパチンコ球を貯留して上方へ揚送するようになっているが、本発明はこれに限定されるものではなく、例えば、揚送ベルトを回動させることによりパチンコ球を揚送するベルト式揚送装置や、揚送筒内に設けたスクリューを回転させることによりパチンコ球を揚送するスクリュー式揚送装置等であってもよい。
【０１４１】
また、本発明請求項中に記載の「遊技媒体」は、上記実施例における球状のパチンコ球に対応しているが、特にこれに限定されるものではなく、例えば遊技機としてのスロットマシン等に使用されるメダル等であってもよい。
【０１４２】
【発明の効果】
本発明は次の効果を奏する。
【０１４３】
（ａ）請求項１の発明によれば、第１の遊技媒体貯留部に貯留された遊技媒体は、第２の揚送装置により清浄装置の遊技媒体流入口まで揚送された後に清浄装置により清浄され、さらに清浄後において第１の揚送装置により遊技島台の上部まで揚送されることになる。よって、遊技媒体の揚送と清浄とが別々に行われるため、揚送装置にかかる負荷が軽減されるばかりか、清浄装置の遊技媒体流入口の高さ位置に影響されることなく、第１の遊技媒体貯留部に遊技媒体を極力多く貯留することが出来る。
【０１４４】
（ｂ）請求項２の発明によれば、第２の揚送装置による遊技媒体の揚送状態に影響されることなく、清浄装置に安定的に遊技媒体が供給される。
【０１４５】
（ｃ）請求項３の発明によれば、第２の揚送装置を、第３の遊技媒体貯留部内の遊技媒体の貯留状況に応じて、効率よく駆動させることが出来る。
【０１４６】
（ｄ）請求項４の発明によれば、第２の揚送装置を、第２の遊技媒体貯留部内の遊技媒体の貯留状況に応じて駆動させることが出来るため、駆動効率がより向上する。
【０１４７】
（ｅ）請求項５の発明によれば、遊技媒体を揚送する揚送装置を別途清浄装置に設けたりすることなく遊技媒体を清浄することが出来るとともに、清浄された遊技媒体は流出部から流出されることで、遊技媒体を強制的に揺動板から排出させる排出機構等が不要となるため、清浄装置の構造の簡素化や製造コストの低減を図ることが出来る。
【０１４８】
（ｆ）請求項６の発明によれば、第１の遊技媒体貯留部内に遊技媒体を偏りなく均等に貯留させることが出来、これにより遊技媒体の貯留容量が増大するため、遊技機へ供給する遊技媒体が不足するといった事態の発生を効果的に回避出来る。
【図面の簡単な説明】
【図１】本発明の実施例としての遊技島台の内部構造を示す断面図である。
【図２】図１のＡ−Ａ断面図である。
【図３】図１の遊技島台の要部の内部構造を示す平面図である。
【図４】貯留タンク、揚送タンク、ミニリフトの構成を示す斜視図である。
【図５】図１の遊技島台に適用された揚送装置の内部構造を示す断面図である。
【図６】図１の遊技島台に適用されたミニリフトの内部構造を示す断面図である。
【図７】図１の遊技島台に適用された清浄装置を示す外観斜視図である。
【図８】図７のＢ−Ｂ断面図である。
【図９】シート部材の巻取り状況を示す概略断面図である。
【図１０】揺動板上へのパチンコ球の流入状況及び揺動状態を示す要部拡大断面図である。
【図１１】揺動板の揺動時におけるパチンコ球の移動状態を示す概略平面図である。
【図１２】各センサと制御部との接続状態を示すブロック図である。
【図１３】本実施例の揚送装置とミニリフトの制御を示すフローチャートである。
【図１４】通常に左下部タンクから上部タンクにパチンコ球が揚送されている様子を示す概略図である。
【図１５】左貯留タンク、左揚送タンクの様子を示す概略図であり、（ａ）は、左揚送タンク満タン検出センサの位置までパチンコ球が堆積されている様子を示し、（ｂ）は、堆積されたパチンコ球が左揚送タンク空検出センサの位置よりも下がり、ミニリフトによる揚送が再開された様子を示す図である。
【図１６】左下部タンクのパチンコ球がなくなった際の揚送の様子を示す概略図である。
【図１７】左下部タンクだけでなく右下部タンクのパチンコ球もなくなった際の揚送の様子を示す概略図である。
【符号の説明】
１　　　　　　　　　　　　遊技島台
２　　　　　　　　　　　　パチンコ機
３　　　　　　　　　　　　上部タンク
４　　　　　　　　　　　　供給樋
５　　　　　　　　　　　　支流樋
６　　　　　　　　　　　　球タンク
７　　　　　　　　　　　　球抜き管
８　　　　　　　　　　　　アウト球タンク
９　　　　　　　　　　　　下部タンク
９ａ　　　　　　　　　　　側板
１０　　　　　　　　　　　下部樋
１１　　　　　　　　　　　開口
１２　　　　　　　　　　　オーバーフロー樋
１３　　　　　　　　　　　繕板
１４　　　　　　　　　　　開口
１５　　　　　　　　　　　計数装置
１５ａ　　　　　　　　　　球投入口
１６　　　　　　　　　　　排出路
１７Ｒ、１７Ｌ　　　　　　側部樋
１８　　　　　　　　　　　オーバーフロー管
１９　　　　　　　　　　　開口
２０　　　　　　　　　　　仕切板
２１　　　　　　　　　　　排出口
２３Ｒ、２３Ｌ　　　　　　連通口
２４Ｒ、２４Ｌ　　　　　　中継樋
２５　　　　　　　　　　　揚送装置
２６　　　　　　　　　　　排出樋
２７　　　　　　　　　　　バイパス樋
２８Ｒ、２８Ｌ　　　　　　案内樋
２９ａ、２９ｂ　　　　　　連通口
３０　　　　　　　　　　　箱体
３１　　　　　　　　　　　駆動歯車
３２　　　　　　　　　　　従動回転体
３３　　　　　　　　　　　バケット
３４　　　　　　　　　　　タイミングベルト
３５　　　　　　　　　　　駆動モータ
３６　　　　　　　　　　　リベット
３７　　　　　　　　　　　流入口
３８　　　　　　　　　　　排出口
３９　　　　　　　　　　　移動体
４０　　　　　　　　　　　レバー
４１　　　　　　　　　　　長孔
４２　　　　　　　　　　　ネジ
４３　　　　　　　　　　　引っ張りバネ
４４　　　　　　　　　　　回転軸
４５　　　　　　　　　　　ローラ
５０　　　　　　　　　　　清浄装置
５１　　　　　　　　　　　基体
５２　　　　　　　　　　　揺動板
５３　　　　　　　　　　　収納ユニット
５４　　　　　　　　　　　側板
５５　　　　　　　　　　　ガイドレール
５６　　　　　　　　　　　枠体
５６ａ　　　　　　　　　　下部フレーム
５６ｂ　　　　　　　　　　上部フレーム
５８　　　　　　　　　　　底板
５９　　　　　　　　　　　揺動モータ
６０　　　　　　　　　　　回転軸
６１　　　　　　　　　　　固定部材
６２　　　　　　　　　　　防振ゴム
６３　　　　　　　　　　　貫通路
６４　　　　　　　　　　　偏心軸部材
６５　　　　　　　　　　　バランスウェイト
６５ａ　　　　　　　　　　ディスク部材
６５ｂ　　　　　　　　　　ウェイト部材
６６　　　　　　　　　　　ベアリング
６６ａ　　　　　　　　　　外輪
６６ｂ　　　　　　　　　　内輪
６６ｃ　　　　　　　　　　球
６６ｄ　　　　　　　　　　保持器
６７　　　　　　　　　　　取付リング
６８　　　　　　　　　　　回転規制部材
６９、６９’　　　　　　　取付板
７０、７０’　　　　　　　変形部材
７１　　　　　　　　　　　連結棒
７２　　　　　　　　　　　ゴムシート
７３　　　　　　　　　　　ガイド部材
７３ａ　　　　　　　　　　円弧状ガイド辺
７３ｂ　　　　　　　　　　直線状ガイド辺
７８　　　　　　　　　　　保持片
７９　　　　　　　　　　　蓋部材
８０　　　　　　　　　　　流入口
８２　　　　　　　　　　　突出片
１０４　　　　　　　　　　巻取モータ
１２０〜１２２　　　　　　検出センサ
１２７　　　　　　　　　　落下口
１２８　　　　　　　　　　流出部
１５１　　　　　　　　　　透明シート
１５２　　　　　　　　　　保持板
１５４　　　　　　　　　　開口部
１５８　　　　　　　　　　停留防止部材
１６０　　　　　　　　　　スライド部材
１６２　　　　　　　　　　止めネジ
２００Ｒ、２００Ｌ　　　　貯留タンク
２００ａＲ、２００ａＬ　　揚送タンク
２０１　　　　　　　　　　通孔
２０２Ｒ、２０２Ｌ　　　　揚送タンク満タン検出センサ
２０３Ｒ、２０３Ｌ　　　　揚送タンク空検出センサ
２０４　　　　　　　　　　上部タンク満タン検出センサ
２０５　　　　　　　　　　上部タンク左下部タンク
２０６　　　　　　　　　　左下部タンク満タン検出センサ
２０７　　　　　　　　　　左下部タンク左下部タンク
２０８　　　　　　　　　　右下部タンク満タン検出センサ
２０９　　　　　　　　　　右下部タンク左下部タンク
２１０Ｒ、２１０Ｌ　　　　ミニリフト
２１１　　　　　　　　　　ガイド板
２３０　　　　　　　　　　箱体
２３１　　　　　　　　　　駆動歯車
２３２　　　　　　　　　　従動回転体
２３３　　　　　　　　　　バケット
２３４　　　　　　　　　　タイミングベルト
２３５　　　　　　　　　　駆動モータ
２３６　　　　　　　　　　リベット
２３７　　　　　　　　　　流入口
２３８　　　　　　　　　　排出口
２３９　　　　　　　　　　移動体
２４０　　　　　　　　　　レバー
２４１　　　　　　　　　　長孔
２４２　　　　　　　　　　ネジ
２４３　　　　　　　　　　引っ張りバネ
２４４　　　　　　　　　　回転軸
２４５　　　　　　　　　　ローラ
３００Ｒ、３００Ｌ　　　　流出口
Ｍ　　　　　　　　　　　　溝部
Ｓ　　　　　　　　　　　　シート部材
Ｚ　　　　　　　　　　　　清浄領域
【図１】
2004081629.tif 000003
【図２】
2004081629.tif 000004
【図３】
2004081629.tif 000005
【図４】
2004081629.tif 000006
【図５】
2004081629.tif 000007
【図６】
2004081629.tif 000008
【図７】
2004081629.tif 000009
【図８】
2004081629.tif 000010
【図９】
2004081629.tif 000011
【図１０】
2004081629.tif 000012
【図１１】
2004081629.tif 000013
【図１２】
2004081629.tif 000014
【図１３】
2004081629.tif 000015
【図１４】
2004081629.tif 000016
【図１５】
2004081629.tif 000017
【図１６】
2004081629.tif 000018
【図１７】
2004081629.tif 000019